(57)【特許請求の範囲】
【請求項１】
機器にケーブルを介して接続されるコネクタを有し、このコネクタが、その突出したコンタクトで弾性的に接触する電気コネクタであって、
前記コネクタは、そのハウジングに、収容部と、前記収容部に連絡する端子嵌合部とを設けており、
前記収容部に、前記コンタクトに接触して導通すると共にボックス形状であってその底部が塞がれている雌端子接触部および板状の端子接触部を有する導通部材を収容し、
前記導通部材に設けた前記端子接触部を前記端子嵌合部に挿入し、
前記端子嵌合部に、前記ケーブルに接続された接続端子を嵌合して、前記接続端子を前記端子接触部に接触させ、
前記ハウジングにカバーを係止することによって装着して前記接続端子を覆い、前記ケーブルを前記カバー外に導出するようにしたことを特徴とする電気コネクタ。
【請求項２】
機器にケーブルを介して接続されるコネクタを有し、このコネクタが、その突出したコンタクトで弾性的に接触する電気コネクタであって、
前記コネクタは、そのハウジングに、収容部と、前記収容部に連絡する端子嵌合部とを設けており、
前記収容部に、前記コンタクトに接触して導通する導通部材を収容し、
前記導通部材に端子接触部を設けて、前記端子接触部を前記端子嵌合部に挿入し、
前記端子嵌合部に、前記ケーブルに接続された接続端子を嵌合して、前記接続端子を前記端子接触部に接触させ、
前記ハウジングにカバーを装着して前記接続端子を覆い、前記ケーブルを前記カバー外に導出するようにしており、
更に、前記端子嵌合部に対して前記収容部を前記接続端子の軸線方向に直交する方向に偏位させて、前記接続端子の軸線の延長上にケーブル押え部を配置し、
前記カバーに、前記ケーブル押え部に対応するケーブル挿通凹部を設け、
前記ハウジングに前記カバーを装着することで、前記ケーブルを前記ケーブル挿通凹部に挿通させて前記ケーブル押え部で押えると共に、前記ケーブル押え部で前記ケーブル挿通凹部を閉塞するようにしたことを特徴とする電気コネクタ。
【請求項３】
前記カバーの内面に、前記カバーを前記ハウジングに装着した際に、前記接続端子を押える端子押え部を設けた請求項１又は請求項２に記載の電気コネクタ。
【発明の詳細な説明】
【０００１】
【発明の属する技術分野】
本発明は、例えばサーボモータとパルスエンコーダとの電気信号の接続に用いられる電気コネクタに関する。
【０００２】
【従来の技術】
サーボモータとパルスエンコーダとの電気信号の接続に用いられる従来の電気コネクタとしては図１２に示すものがある。
【０００３】
この電気コネクタは、サーボモータ側の雌コネクタ７０と、パルスエンコーダ側の雄コネクタ７１とを備えており、雌コネクタ７０は、雄コネクタ７１に接合する接合コネクタ部７３と、この接合コネクタ部７３にサーボモータ（図示せず）を導通するための導通コネクタ部７４とをプリント基板７２に搭載して構成されている。
【０００４】
すなわち、接合コネクタ部７３は、筒状のハウジング７６を備えており、このハウジング７６の基部にはスリーブ７７が挿入してあり、また、ハウジング７６内には雌端子７５が収容してあり、この雌端子７５の先側に位置するコンタクト７８はハウジング７６の先端部に設けた孔部７９から外に突出しており、また、雌端子７５の基端部はスリーブ７７に摺動可能に挿入してある。そして、スリーブ７７と雌端子７５のストッパー部８０との間にはばね部材８１が介装してある。
【０００５】
このように構成された接合コネクタ部７３は、そのスリーブ７７の基部をプリント基板７２に半田付けにより取付けることにより、このプリント基板７２に搭載してある。
【０００６】
また、導通コネクタ部７４は、ソケットハウジング８３Ａの底部にタブ端子８２を設けたソケット８３と、プラグハウジング８４に、ケーブル８５が接続された圧着端子８６を挿入固定したプラグ８７とで構成してあり、ソケット８３は、そのタブ端子８２をプリント基板７２に装着することにより、このプリント基板７２に搭載してある。この場合、タブ端子８２とスリーブ７７とは、プリント基板７２の導電パターン（図示せず）により互い接続されている。
【０００７】
また、雄コネクタ７１は、ハウジング８８に雄端子８９をインサート成形により取付けて構成してあり、雄端子８９は、そのコンタクト９０をハウジング８８の端面部８８ａに表出させており、また、リード部９１をハウジング８８の背面から突出させている。
【０００８】
そして、雄コネクタ７１は、そのハウジング８８を、パルスエンコーダ（図示せず）の取付部材９２に取付けてある。この場合、雄端子８９のリード部９１は、パルスエンコーダが備えているプリント基板９３のスルーホール９４に挿入してあって、半田付けにより導電パターン（図示せず）に接続され、外部から振動が加わっても、リード部９１がその振動を吸収している。
【０００９】
そして、サーボモータとパルスエンコーダとの間に流される電気信号の導通を行う場合には、プラグ８７をソケット８３に接続し、雌端子７５のコンタクト７８を、軸方向に弾性的に当接させて雄端子８９のコンタクト９０に押し付けた状態で接触させて、雌コネクタ７０と雄コネクタ７１を結合する。
【００１０】
【発明が解決しようとする課題】
しかしながら、上記した従来の電気コネクタにあっては、サーボモータ側の電気信号伝送用のケーブル８５を接合コネクタ部７３に導通させるために、プラグ８７とソケット８３からなる導通コネクタ部７４と、この導通コネクタ部７４を搭載させることで、この導通コネクタ部７４を接合コネクタ部７３に導通させるプリント基板７２とが必要になっていた。
【００１１】
このために、部品点数が多くなって、組立工数が増加してコスト高になるばかりか、電気コネクタが大きくなるという問題点があった。
【００１２】
本発明は、上記の問題点に着目して成されたものであって、その目的とするところは、部品点数が少なくなって、組立工数が削減されコスト安になるばかりか、小型化が可能になる電気コネクタを提供することにある。
【００１６】
【課題を解決するための手段】
上記の目的を達成するために、本発明に係る電気コネクタは、機器にケーブルを介して接続されるコネクタを有し、このコネクタが、その突出したコンタクトで弾性的に接触する電気コネクタであって、コネクタは、そのハウジングに、収容部と、前記収容部に連絡する端子嵌合部とを設けており、収容部に、コンタクトに接触して導通すると共にボックス形状であってその底部が塞がれている雌端子接触部および板状の端子接触部を有する導通部材を収容し、導通部材に設けた端子接触部を端子嵌合部に挿入し、端子嵌合部に、ケーブルに接続された接続端子を嵌合して、接続端子を端子接触部に接触させ、ハウジングにカバーを係止することによって装着して接続端子を覆い、ケーブルをカバー外に導出するようにしたものである。
【００１７】
かかる構成により、導通部材に端子接触部を設けて、端子接触部を端子嵌合部に挿入し、端子嵌合部にケーブルに接続された接続端子を嵌合して、接続端子を端子接触部に導通させることで、ケーブルと接触端子との導通を一つのコネクタ構成でそれぞれ図ることができる。
【００１８】
このために、電気信号伝送用のケーブルを、コンタクト部を有する接触端子が組み込まれた接合コネクタ部に導通させるために、従来の電気コネクタが必要としていた、プラグとソケットからなる導通コネクタ部とこの導通コネクタ部を接合コネクタ部に導通させるプリント基板とが不要になり、部品点数が少なくなって、組立工数が削減されコスト安になるばかりか、電気コネクタの小型化が可能になる。
【００１９】
また、本発明に係る電気コネクタは、機器にケーブルを介して接続されるコネクタを有し、このコネクタが、その突出したコンタクトで弾性的に接触する電気コネクタであって、コネクタは、そのハウジングに、収容部と、収容部に連絡する端子嵌合部とを設けており、収容部に、コンタクトに接触して導通する導通部材を収容し、導通部材に端子接触部を設けて、端子接触部を前記端子嵌合部に挿入し、端子嵌合部に、ケーブルに接続された接続端子を嵌合して、接続端子を端子接触部に接触させ、ハウジングにカバーを装着して接続端子を覆い、ケーブルをカバー外に導出するようにしており、更に、端子嵌合部に対して収容部を接続端子の軸線方向に直交する方向に偏位させて、接続端子の軸線の延長上にケーブル押え部を配置し、カバーに、ケーブル押え部に対応するケーブル挿通凹部を設け、ハウジングにカバーを装着することで、ケーブルをケーブル挿通凹部に挿通させてケーブル押え部で押えると共に、ケーブル押え部でケーブル挿通凹部を閉塞するようにしたものである。
【００２０】
かかる構成により、導通部材に端子接触部を設けて、端子接触部を端子嵌合部に挿入し、端子嵌合部にケーブルに接続された接続端子を嵌合して、接続端子を端子接触部に導通させることで、ケーブルと接触端子との導通を一つのコネクタ構成でそれぞれ図ることができる。
【００２１】
このために、電気信号伝送用のケーブルを、コンタクト部を有する接触端子が組み込まれた接合コネクタ部に導通させるために、従来の電気コネクタが必要としていた、プラグとソケットからなる導通コネクタ部とこの導通コネクタ部を接合コネクタ部に導通させるプリント基板とが不要になり、部品点数が少なくなって、組立工数が削減されコスト安になるばかりか、電気コネクタの小型化が可能になる。
【００２２】
また、かかる構成によりハウジングにカバーを装着することで、ケーブルをケーブル挿通凹部に挿通させてケーブル押え部で押えると共に、ケーブル押え部でケーブル挿通凹部を閉塞することで、ハウジング内の接続端子、端子接触部を外部とは隔絶して、完全に密封することができる。
【００２３】
このために、ハウジング内への塵埃等の侵入を防止することができて、塵埃等の侵入で生じていた電気コネクタの故障を無くすことができる。
【００２４】
また、本発明にかかる電気コネクタは、上記した本発明にかかる電気コネクタにおいて、カバーの内面に、カバーをハウジングに装着した際に、接続端子を押える端子押え部を設けたものである。
【００２５】
かかる構成により、カバーをハウジングに装着した際に、端子押え部で、接続端子を押えることができて、接続端子と端子接触部との接触を確実なものにすることができる。
【００２６】
【実施例】
以下、本発明に係る電気コネクタを図面を参照して説明する。
【００２７】
図１の（１）は本発明に係る電気コネクタにおいて雌コネクタと雄コネクタとを結合させた状態の側面図である。図１の（２）は同電気コネクタにおいて雌コネクタと雄コネクタとを結合させた状態の縦断面図、図２の（１）は同電気コネクタにおいて雌コネクタと雄コネクタとの結合を解いた状態の断面図である。図２の（２）は同電気コネクタにおいて雌コネクタと雄コネクタとの結合を解いた状態の縦断面図、図３は同電気コネクタにおける雌コネクタの分解状態の斜視図である。なお、説明の便宜上、前後方向、上下方向及び左右方向を図示のように設定する。
【００２８】
本発明に係る電気コネクタは、雌コネクタＦと雄コネクタＭとから構成してある。雌コネクタＦのハウジング１は、図４及び図５に示すように上面部１Ａと、前、後面部１Ｂ、１Ｃと、左、右面部１Ｄ、１Ｅと、下面部１Ｆとを有しており、このハウジング１の左、右面部１Ｄ、１Ｅの前寄りには、取付孔部２ａを有する取付片部２が突設してあり、また、左、右面部１Ｄ、１Ｅに係合突起部３が設けてある。また、上面部１Ａには、その前部で右寄りに突出部１Ｇが形成してある。
【００２９】
また、ハウジング１の下面部１Ｆは、図３及び図６に示すように、その前部１Ｆ−１と後部１Ｆ−２との２段に形成されていて、この前部１Ｆ−１には一方及び他方の収容部である左右の収容部７Ｌ、７Ｒが形成してあり、また、後部１Ｆ−２には一方及び他方の端子嵌合部である左右の端子嵌合部６Ｌ、６Ｒが設けてあり、左右の端子嵌合部６Ｌ、６Ｒは、前後方向に長い長方形状の嵌合凹部で構成してある。
【００３０】
また、下面部１Ｆの前部１Ｆ−１と後部１Ｆ−２とに段部Ｆ−３には左右の端子嵌合部６Ｌ、６Ｒの前面開口部３３Ｌ、３３Ｒが形成してある。
【００３１】
そして、ハウジング１の下面部１Ｆの前部１Ｆ−１から後部１Ｆ−２にかけて左の端子嵌合部６Ｌと左の収容部７Ｌとを連絡する左の連絡用溝部８Ｌと、右の端子嵌合部６Ｒと右の収容部７Ｒとを連絡する右の連絡用溝部８Ｒとが設けてある。
【００３２】
また、左右の収容部７Ｌ、７Ｒは、ハウジング１の下面部１Ｆの前部１Ｆ−１から突出部１Ｇの内部に至っていて、四角形状のスリーブ挿入部９Ａと円形状のばね挿入部９Ｂとで構成してあり、また、突出部１Ｇの端面部には、ばね挿入部９Ｂに抜ける端子挿入孔部１０が設けてある。
【００３３】
突出部１Ｇの中心線ロはハウジング１の中心線イに対して右方にＸ１だけ偏位しており、左右の収容部７Ｌ、７Ｒは突出部１Ｇの中心ロを挟んで左右に等間隔に配置されている。また、左右の端子嵌合部６Ｌ、６Ｒは中心線ハを挟んで左右に等間隔に配置されている。この中心線ハは、ハウジング１の中心線イに対して左方にＸ２だけ偏位している。このために、左右の端子嵌合部６Ｌ、６Ｒに対して左右の収容部７Ｌ、７Ｒは右方にずれている。
【００３４】
このように、左右の端子嵌合部６Ｌ、６Ｒに対して左右の収容部７Ｌ、７Ｒは右方にずれているために、左右の端子嵌合部６Ｌ、６Ｒと左右の収容部７Ｌ、７Ｒとを連絡する左右の連絡用溝部８Ｌ、８Ｒはクランク状に曲がった溝部で形成してある。
【００３５】
そして、ハウジング１の下面部１Ｆの前部１Ｆ−１には、一方及び他方のケーブル押え部である左右のケーブル押え部１１Ｌ、１１Ｒが突設してある。これらのケーブル押え部１１Ｌ、１１Ｒは前部１Ｆ−１に突設された角柱状の本体１１ａの端部に湾曲した凹部１１ｂを形成して構成してある。
【００３６】
右のケーブル押え部１１Ｒは左右の収容部７Ｌ、７Ｒの間であって、右の端子嵌合部６Ｒに配置される後述する右の接続端子２０Ｒの軸線ニ′の略延長上に位置している。また、左のケーブル押え部１１Ｌは左の収容部７Ｌを挟んで右のケーブル押え部１１Ｒとは反対側に位置していて、左の端子嵌合部６Ｌに配置される後述する左の接続端子２０Ｌの軸線ニの略延長上に位置している。
【００３７】
雌コネクタＦの端子構成は、図２の（１）、図７に示すように一方及び他方の雌端子である左右の雌端子１２Ｌ、１２Ｒと、ばね部材１３と、一方及び他方の導通部材である左右のスリーブ１４Ｌ、１４Ｒと、一方及び他方の接続端子である左右の接続端子２０Ｌ、２０Ｒとからなっている。左右の雌端子１２Ｌ、１２Ｒは、ピン状の端子本体１２Ａの先側にストッパ部１５を設け、ストッパ受部１５より先端部を端子本体１２Ａより小径なコンタクト１６が弾性的に突設して設けて構成してある。
【００３８】
また、左右のスリーブ１４Ｌ、１４Ｒは、図８に示すように、四角なボックス形状の雌端子接触部１９にクランク状に屈曲形成された連絡部１７を設け、この連絡部１７の端側に板状の端子接触部１８を形成して構成してある。
【００３９】
そして、左の雌端子１２Ｌは左の収容部７Ｌに挿入してあって、そのコンタクト１６を端子挿入孔部１０より外方に突出させている。また、左のスリーブ１４Ｌは、その連絡部１７をハウジング１の連絡用溝部８Ｌに挿入（圧入）することで、端子接触部１８を左の端子嵌合部６Ｌに挿入し、また、雌端子接触部１９を収容部７Ｌのスリーブ挿入部９Ａに挿入している。左のスリーブ１４Ｌは、その雌端子接触部１９がボックス形状であって底部が塞がれているために、この雌端子接触部１９内へのゴミ、チリの侵入を防止している。
【００４０】
そして、雌端子接触部１９内には左の雌端子１２Ｌの端部が摺動可能に挿入してあり、また、収容部７Ｌのばね挿入部９Ｂにはばね部材１３が挿入してあり、このばね部材１３の端部は左の雌端子１２Ｌのストッパ部１５に衝合していて、左の雌端子１２Ｌを、そのコンタクト１６を端子挿入孔部１０より外方に突出させる方向に押し付けている。
【００４１】
同様に、右の雌端子１２Ｒは右の収容部７Ｒに挿入してあって、そのコンタクト１６を端子挿入孔部１０より外方に突出させている。また、右のスリーブ１４Ｒは、その連絡部１７をハウジング１の連絡用溝部８Ｒに挿入（圧入）することで、端子接触部１８を右の端子嵌合部６Ｒに挿入し、また、雌端子接触部１９を収容部７Ｒのスリーブ挿入部９Ａに挿入している。右のスリーブ１４Ｒは、その雌端子接触部１９がボックス形状であって底部が塞がれているために、この雌端子接触部１９内へのゴミ、チリの侵入を防止している。
【００４２】
そして、雌端子接触部１９には右の雌端子１２Ｒの端部が摺動可能に挿入してあり、また、収容部７Ｒのばね挿入部９Ｂにはばね部材１３が挿入してあり、このばね部材１３の端部は右の雌端子１２Ｒのストッパ部１５に衝合していて、右の雌端子１２Ｒを、そのコンタクト１６を端子挿入孔部１０より外方に突出させる方向に押し付けている。
【００４３】
そして、接続端子２０Ｌ、２０Ｒには圧着によりケーブル２３Ｌ、２３Ｒが接続してある。そして、これらの接続端子２０Ｌ、２０Ｒの接触部は、図２に示すように、面状の接触片２１ａから成る一方の接触部２１と、接触片２２ａを湾曲させることでばね性を付与した他方の接触部２２とを所定の間隔をおいて対向させた構成である。
【００４４】
そして、左右の端子嵌合部６Ｌ、６Ｒには接続端子２０Ｌ、２０Ｒが嵌合してあり、接続端子２０Ｌ、２０Ｒは、その接触部の一方の接触部２１と他方の接触部２２と間に左右のスリーブ１４Ｌ、１４Ｒの端子接触部１８を挿入し接触させることでスリーブ１４Ｌ、１４Ｒに接続してある。そして、左の接続端子２０Ｌに接続されたケーブル２３Ｌは、この接続端子２０Ｌの軸線ニの略延長上に位置しており、また、右の接続端子２０Ｒに接続されたケーブル２３Ｒは、この接続端子２０Ｒの軸線ニ′の略延長上に位置していて、端子嵌合部６Ｌ、６Ｒの前面開口部３３Ｌ、３３Ｒから前方に導出してある。尚、左の接続端子２０Ｌの軸線ニは、端子接触部１８に接触する接触部の中心を通るが、この軸線ニに対してケーブル圧着部はわずかにずれていて、ケーブル２３Ｌも軸線ニに対してわずかにずれてはいるが、ケーブル２３Ｌは軸線ニの略延長上に位置している。右の接続端子２０Ｒの軸線ニ′とケーブル２３Ｒとの関係も同じである。
【００４５】
バックカバー３０は、図９乃至図１１に示すように底面部３０ａと、前、後面部３０ｂ、３０ｃと、左、右面部３０ｄ、３０ｅとを有するボックス形状をしており、その前面部３０ｂは、左、右面部３０ｄ、３０ｅより一段低く、しかも、肉厚に成されており、この前面部３０ｂの縁部には前方に突出するように突出部３１が形成してある。
【００４６】
そして、この前面部３０ｂにはＵ字状の切込みからなる、一方及び他方のケーブル挿通凹部である左右のケーブル挿通凹部３２Ｌ、３２Ｒが形成してある。そして、左右のケーブル挿通凹部３２Ｌ、３２Ｒは、バックカバー３０の中心線トに対して左側にずれて形成してある。
【００４７】
また、底面部３０ａの内面には左右の端子押え部３４Ｌ、３４Ｒがその内面より突出させて形成してある。また、後面部３０ｃは、その右部分が内方に突入するようにした湾曲部３４が形成してある。また、左、右面部３０ｄ、３０ｅには係合孔部３５が形成してある。
【００４８】
このように構成されたバックカバー３０は、ハウジング１の下面部１Ｆを覆うようにして、このハウジング１に被嵌されていて、ハウジング１に設けた係合突起部３が係合孔部３５に係脱可能に係合している。
【００４９】
この場合、ケーブル２３Ｌ、２３Ｒはケーブル押え部１１Ｌ、１１Ｒの凹部１１ｂに受けられた状態で、左右のケーブル挿通凹部３２Ｌ、３２Ｒに挿入されている。このために、左右のケーブル挿通凹部３２Ｌ、３２ＲのＵ字状の切込みはケーブル押え部１１Ｌ、１１Ｒの角柱状の本体１１ａとケーブル２３Ｌ、２３Ｒとにより閉塞されることになって密閉構成になる。
【００５０】
また、バックカバー３０の内面の端子押え部３４Ｌ、３４Ｒが接続端子２０Ｌ、２０Ｒを押えて、接続端子２０Ｌ、２０Ｒの完全な接続を補っているし、また、バックカバー３０の前面部３０ｂに設けられた突出部３１が、雌端子接触部１９を下から押えて、雌端子接触部１９のハウジング１に対する固定を補っている。また、雌端子接触部１９の底面を覆うことにより、雌端子接触部１９内へのゴミ、チリの侵入を防止している。
【００５１】
雄コネクタＭは、図２に示すように、ハウジング４０とこのハウジング４０にインサート成形された左右の雄端子４１Ｌ、４１Ｒとを備えている。
【００５２】
そして、ハウジング４０は、端面部４２の背面側に２つの端子担持部４３Ｌ、４３Ｒをそれぞれ形成した構成である。このハウジング４０は、例えば、パルスエンコーダのエンコーダ本体のようなコネクタ保持部材５０の取付凹部５１の形状に合致するものである。
【００５３】
左右の雄端子４１Ｌ、４１Ｒは金属板を帯状に打ち抜いて形成された端子本体４４を有しており、端子本体４４の基部には、円形状のコンタクト４５と、このコンタクト４５に連なる係止片部４６とが形成してあり、また、端子本体４４の先部には、この端子本体４４より幅狭なリード部４７とが形成してある。
【００５４】
そして、左の雄端子４１Ｌは左の端子担持部４３Ｌにインサート成形により担持されており、右の雄端子４１Ｒは端子担持部４３Ｒにインサート成形により担持されている。
【００５５】
すなわち、左の雄端子４１Ｌの端子本体４４の下部及び係止片部４６が左の端子担持部４３Ｌに埋め込まれていて、コンタクト４５がハウジング４０の端面部４２に表出しており、端子本体４４及びリード部４７は左の端子担持部４３Ｌの背面から突出している。そして、リード部４７の基部には、ハウジング４０と同じモールドの半田止め部材４８が固着してある。
【００５６】
同様に、右の雄端子４１Ｒの端子本体４４の下部及び係止片部４６が右の端子担持部４３Ｒに埋め込まれていて、コンタクト４５がハウジング４０の端面部４２に表出しており、端子本体４４及びリード部４７は右の端子担持部４３Ｒの背面から突出している。そして、リード部４７の基部には、ハウジング４０と同じモールドの半田止め部材４８が固着してある。
【００５７】
そして、上記のように構成された雌コネクタＦは、図２の（１）、（２）に示すように、そのハウジング１に設けた取付片部２で、例えば、一方の機器であるサーボモータ（図示せず）の取付部材６０に取付けてある。また、雄コネクタＭは、そのハウジング４０を、例えば、他方の機器であるパルスエンコーダの取付部材５０の取付凹部５１に合致させた状態で、この取付部材５０に取付けてある。
【００５８】
この場合、左右の雄端子４１Ｌ、４１Ｒのリード部４７は、パルスエンコーダが備えているプリント基板５２のスルーホール５３に挿入してあって、半田付けにより導電パターン（図示せず）に接続され、外部から振動が加わっても、端子本体４４が、その振動を吸収している。
【００５９】
そして、左右の雌端子１２Ｌ、１２Ｒのコンタクト１６が左右の雄端子４１Ｌ、４１Ｒのコンタクト４５に押し付けられた状態で接触していて、雌コネクタＦと雄コネクタＭとが結合している。
【００６０】
上記した本実施の形態によれば、左右のスリーブ１４Ｌ、１４Ｒにそれぞれ端子接触部１８を設けて、左の端子接触部１８を左の端子嵌合部６Ｌに挿入すると共に、右の端子接触部１８を右の端子嵌合部６Ｒに挿入し、左右の端子嵌合部６Ｌ、６Ｒに電気信号を伝送するケーブル２３Ｌ、２３Ｒに接続された接続端子２０Ｌ、２０Ｒをそれぞれ嵌合して、左の接続端子２０Ｌを左の端子接触部１８に接触させると共に、右の接続端子２０Ｒを右の端子接触部１８に接触させることで、左のケーブル２３Ｌと左の端子接触部１８との導通、及び右のケーブル２３Ｒと右の端子接触部１８との導通を一つのコネクタ構成でそれぞれ図ることができる。
【００６１】
このために、電気信号伝送用のケーブル２３Ｌ、２３Ｒと、コンタクトを有する接触端子が組み込まれた接合コネクタ部を導通させるために、従来の電気コネクタが必要としていたプラグとソケットからなる導通コネクタ部とこの導通コネクタ部を接合コネクタ部に導通させるプリント基板とが不要になり、部品点数が少なくなって、組立工数が削減されコスト安になるばかりか、電気コネクタの小型化が可能になる。
【００６２】
また、上記した本実施の形態によれば、ハウジング１にバックカバー３０を装着することで、左のケーブル２３Ｌを左のケーブル挿通凹部３２Ｌに挿通させて左のケーブル押え部１１Ｌで押えると共に、左のケーブル押え部１１Ｌで左のケーブル挿通凹部３２Ｌを閉塞し、右のケーブル２３Ｒを右のケーブル挿通凹部３２Ｒに挿通させて右のケーブル押え部１１Ｒで押えると共に、右のケーブル押え部１１Ｒで右のケーブル挿通凹部３２Ｒを閉塞することで、ハウジング１内の左右の接続端子２０Ｌ、２０Ｒ、左右の端子接触部１８を外部とは隔絶して、完全に密封することができる。
【００６３】
このために、ハウジング１内への塵埃等の侵入を防止することができて、塵埃等の侵入で生じていた電気コネクタの故障を無くすことができる。
【００６４】
また、上記した本実施の形態によれば、バックカバー３０をハウジング１に装着した際に、端子押え部３４Ｌ、３４Ｒで、左右の接続端子２０Ｌ、２０Ｒを押えることができて、左右の接続端子２０Ｌ、２０Ｒと左右の端子接触部１８との接触を確実なものにすることができる。
【００６５】
また、上記した本実施の形態によれば、雄コネクタＭが有する接触端子４１Ｌ、４１Ｒのリード部４７をプリント基板５２のスルーホール５３に挿入して半田付けする場合に、スルーホール５３を通過した半田の流れを、半田止め部材４８が阻止して、この半田が端子本体４４に付着することが防止できる。このことにより、振動によるクラックの発生を阻止できる。
【００６６】
【発明の効果】
以上説明したように、本発明に係る電気コネクタによれば、コンタクトに接触して導通する導通部材に設けられた端子接触部をケーブルに接続された接続端子を接触させることで、一つのコネクタ構成でケーブルとコンタクトとの導通を図ることができる。
【００６７】
このために、電気信号伝送用のケーブルを、コンタクトが組み込まれた接合コネクタ部に導通させるために、従来の電気コネクタが必要としていた、プラグとソケットからなる導通コネクタ部とこの導通コネクタ部を接合コネクタ部に導通させるプリント基板とが不要になり、部品点数が少なくなって、組立工数が削減されコスト安になるばかりか、電気コネクタの小型化が可能になる。
【００６８】
また、本発明に係る電気コネクタによれば、コネクタは、そのハウジングに、収容部と、前記収容部に連絡する接続端子嵌合部とを設けており、収容部に、コンタクトに接触して導通する導通部材を収容し、導通部材に端子接触部を設けて、端子接触部を端子嵌合部に挿入し、端子嵌合部に、ケーブルに接続された接続端子を嵌合して、接続端子を端子接触部に接触させ、ハウジングにカバーを装着して接続端子を覆い、ケーブルをカバー外に導出するようにしたことにより、ケーブルと接触端子との導通を一つのコネクタ構成でそれぞれ図ることができる。
【００６９】
このために、電気信号伝送用のケーブルを、コンタクト部を有する接触端子が組み込まれた接合コネクタ部に導通させるために、従来の電気コネクタが必要としていた、プラグとソケットからなる導通コネクタ部とこの導通コネクタ部を接合コネクタ部に導通させるプリント基板とが不要になり、部品点数が少なくなって、組立工数が削減されコスト安になるばかりか、電気コネクタの小型化が可能になる。
【００７０】
また、本発明に係る電気コネクタによれば、端子嵌合部に対して収容部を接続端子の軸線方向に直交する方向に偏位させて、接続端子の軸線の延長上にケーブル押え部を配置し、カバーに、ケーブル押え部に対応するケーブル挿通凹部を設け、ハウジングにカバーを装着することで、ケーブルをケーブル挿通凹部に挿通させてケーブル押え部で押えると共に、ケーブル押え部でケーブル挿通凹部を閉塞するようにしたことにより、ハウジング内の接続端子、端子接触部を外部とは隔絶して、完全に密封することができる。
【００７１】
このために、ハウジング内への塵埃等の侵入を防止することができて、塵埃等の侵入で生じていた電気コネクタの故障を無くすことができる。
【００７２】
また、本発明に係る電気コネクタによれば、カバーをハウジングに装着した際に、接続端子を押える端子押え部を設けることにより、カバーをハウジングに装着した際に、端子押え部で、接続端子を押えることができて、接続端子と端子接触部との接触を確実なものにすることができる。
【００７３】
また、本発明に係る電気コネクタによれば、他方のコネクタが有する接触端子のリード部をプリント基板のスルーホールに挿入して半田付けする場合に、スルーホールを通過した半田の流れを、半田止め部材が阻止して、この半田が接触端子に付着することが防止できる。このことにより振動によるクラックの発生を阻止できる。
【図面の簡単な説明】
【図１】  （１）は本発明に係る電気コネクタにおいて雌コネクタと雄コネクタとを結合させた状態の側面図である。
（２）は同電気コネクタにおいて雌コネクタと雄コネクタとを結合させた状態の縦断面図である。
【図２】  （１）は同電気コネクタにおいて雌コネクタと雄コネクタとの結合を解いた状態の断面図である。
（２）は同電気コネクタにおいて雌コネクタと雄コネクタとの結合を解いた状態の縦断面図である。
【図３】  同電気コネクタにおける雌コネクタの分解状態の斜視図である。
【図４】  同雌コネクタからバックカバーを除いた状態の平面（上面）図である。
【図５】  同雌コネクタからバックカバーを除いた状態の正面（前面）図である。
【図６】  同雌コネクタからバックカバーを除いた状態の下面図である。
【図７】  図６のＡ−Ａ線に沿う断面図である。
【図８】  スリーブの斜視図である。
【図９】  バックカバーの下面図である。
【図１０】  バックカバーの平面（上面）図である。
【図１１】  バックカバーの正面（前面）図である。
【図１２】  従来の電気コネクタにおいて雌コネクタと雄コネクタとの結合を解いた状態の縦断面図である。
【符号の説明】
Ｆ        雌コネクタ
Ｍ        雄コネクタ
１        ハウジング
６Ｌ      左の端子嵌合部（一方の端子嵌合部）
６Ｒ      右の端子嵌合部（他方の端子嵌合部）
７Ｌ      左の収容部（一方の収容部）
７Ｒ      右の収容部（他方の収容部）
１１Ｌ    左のケーブル押え部（一方のケーブル押え部）
１１Ｒ    右のケーブル押え部（他方のケーブル押え部）
１２Ｌ    左の雌端子（一方の雌端子）
１２Ｒ    右の雌端子（他方の雌端子）
１４Ｌ    左のスリーブ（一方の導通部材）
１４Ｒ    右のスリーブ（他方の導通部材）
１６      コンタクト
２０Ｌ    左の接続端子（一方の接続端子）
２０Ｒ    右の接続端子（他方の接続端子）
３０      バックカバー
３２Ｌ    左のケーブル挿通凹部（一方のケーブル挿通凹部）
３２Ｒ    右のケーブル挿通凹部（他方のケーブル挿通凹部）
３４Ｌ    端子押え部
３４Ｒ    端子押え部
４１Ｌ    左の雄端子（一方の雄端子）
４１Ｒ    右の雄端子（他方の雄端子）
４５      コンタクト
４７      リード部
４８      半田止め部材
５２      プリント基板
５３      スルーホール
【図１】
0003744823.tif 000002
【図２】
0003744823.tif 000003
【図３】
0003744823.tif 000004
【図４】
0003744823.tif 000005
【図５】
0003744823.tif 000006
【図６】
0003744823.tif 000007
【図７】
0003744823.tif 000008
【図８】
0003744823.tif 000009
【図９】
0003744823.tif 000010
【図１０】
0003744823.tif 000011
【図１１】
0003744823.tif 000012
【図１２】
0003744823.tif 000013